(57)【特許請求の範囲】
【請求項１】
互いの先端上に置かれ、間に空間を形成する少なくとも２つのベルトウェビング層（３ａ、３ｂ）を備えたベルトウェビング（３）と、
前記空間への流れ接続部を有するガス発生器（１２）と、
前記ベルトウェビング（３）と前記ガス発生器（１２）とを自動車に固定するための固定取付具（６）と、を含み、
前記ベルトウェビング層（３ａ、３ｂ）の端部は、前記ガス発生器（１２）への前記流れ接続部が張力を受けないように、前記固定取付具（６）の２つの間隔の空いたブラケット（１５、１６、２７、２８）に個別に取り付けられ、
前記ガス発生器（１２）によって発生したガス流は、前記端部の間で前記ベルトウェビング（３）に導入されることを特徴とする、膨張式安全ベルト。
【請求項２】
前記固定取付具（６）は基板（１０）を備えていることと、
前記ブラケット（１５、１６、２７、２８）は、前記基板（１０）と前記ブラケット（１５、１６、２７、２８）がＵ字形の断面を形成するように、傾斜して前記基板（１０）の両側から突出していることと、
前記ガス発生器（１２）は、前記基板（１０）に接続されていることと、を特徴とする、請求項１に記載の膨張式安全ベルト。
【請求項３】
前記固定取付具（６）は、互いに回動可能に組み合わされた少なくとも２つの固定具（２０、２３）から形成されていることと、
前記ベルトウェビング（３）は、前記固定具のうちの一方（２３）に連結されていることと、
前記他方の固定具（２０）は、前記自動車に固定されていることと、を特徴とする、請求項１又は２に記載の膨張式安全ベルト。
【請求項４】
前記ベルトウェビング層（３ａ、３ｂ）の端部は、前記固定取付具（６）に設けられた開口（８、９）内で回動可能に取り付けられることと、
前記開口（８、９）内の連結部がもたらす回動動作の回動軸（Ｘ）と、前記固定具（２０、２３）間の回動動作の回動軸（Ｍ）とが、互いに垂直に配置されていることと、を特徴とする、請求項３に記載の膨張式安全ベルト。
【請求項５】
前記固定具（２０、２３）を互いに回転位置で固定するために、係合手段（１９）が、一方の固定具（２０）上で、他方の固定具（２３）の凹部（４０）と係合して設けられていることと、
前記係合手段（１９）によって予め決められた分離力を超えると、前記係合手段（１９）によってもたらされる、前記固定具（２０、２３）の接続が解除され得ることと、を特徴とする、請求項３又は４に記載の膨張式安全ベルト。
【請求項６】
ガスランス（７）が前記ベルトウェビング層（３ａ、３ｂ）の間に設けられていることと、
前記ガスランス（７）は、ディフューザ（１１）を介して、前記ガス発生器（１２）との流れ接続を有することと、
前記ディフューザ（１１）は、長手方向において、前記固定取付具（６）で固定されていることと、を特徴とする、請求項１乃至５のいずれか一項に記載の膨張式安全ベルト。
【請求項７】
前記ベルトウェビング層（３ａ、３ｂ）の端部は、固定のために、自己固定方式で、互いの先端上に置かれていることを特徴とする、請求項１乃至６のいずれか一項に記載の膨張式安全ベルト。
【請求項８】
前記ベルトウェビング層（３ａ、３ｂ）は、１つ以上のクランプ要素（２４、２５、３０）の回りに巻き付けられていることを特徴とする、請求項１乃至７のいずれか一項に記載の膨張式安全ベルト。
【請求項９】
前記クランプ要素（２４、２５）は、前記ベルトウェビング層（複数可）（３ａ、３ｂ）が巻き付いたピンであり、前記ピンは、肥厚部を形成しているピンによって形成され、
前記ベルトウェビング層（３ａ、３ｂ）の途中で、前記固定取付具（６）に設けられた狭い箇所の前に位置していることを特徴とする、請求項８に記載の膨張式安全ベルト。
【請求項１０】
前記クランプ要素（３０）は、前記固定取付具（６）の反対輪郭内で、前記クランプ要素（３０）の外側形状によって、回転可能に固定される方式で、クランプ要素（３０）自体を固定することを特徴とする、請求項８又は９に記載の膨張式安全ベルト。
【請求項１１】
前記ベルトウェビング層（３ａ、３ｂ）の端部は、前記ベルトウェビング（３）、前記ディフューザ（１１）の中心および／または前記固定具（２０、２３）の前記回動軸（Ｍ）に対して異なる距離において、互いに前記固定取付具（６）に取り付けられていることを特徴とする、請求項１乃至１０のいずれか一項に記載の膨張式安全ベルト。
【発明の詳細な説明】
【技術分野】
【０００１】
本発明は、請求項１の前文の特徴を備えた膨張式安全ベルトに関する。
【背景技術】
【０００２】
事故の際に乗員を拘束し、乗員を車両の減速に追従させる実際の機能に加えて、膨張式安全ベルトはさらに、事故の際に膨張して乗員に加わる荷重を低減するという特徴を有している。膨張式安全ベルトについて解決すべき重要な課題は、ガス発生器の配置と、ガス発生器によって生成したガス流で膨張式安全ベルトを充填することである。
【０００３】
国際公開第２００６／１０５９０５号明細書からは、ガス発生器が端部取付具に位置し、その端部取付具は、端部取付具によってガス発生器の充填パイプを封止でき、および張力を安全ベルトから車両構造へ伝達できるように形成されている、膨張式安全ベルトがすでに知られている。この解決法の欠点は、安全ベルトの締結またはガス発生器への接続のどちらかが故障した場合に、それぞれ他の機能も悪影響を受ける危険性があることである。さらに、安全ベルトの締結を設計する際に、常に充填パイプの封止に注意を払い、逆に、充填パイプの封止を設計する際に、常に安全ベルトの締結について注意を払わなければならないので、安全ベルトの締結も充填パイプの封止も、それ自体を最適な方式に設計することができないという全般的な問題がある。
【先行技術文献】
【特許文献】
【０００４】
【特許文献１】国際公開第２００６／１０５９０５Ａ１号明細書
【発明の概要】
【発明が解決しようとする課題】
【０００５】
この従来技術に基づいて、本発明の目的は、自動車への締結具を備える膨張式安全ベルトを提供することであり、その安全ベルトは、必要な拘束力および充填に関して最適な方式に設計できる。
【課題を解決するための手段】
【０００６】
この目的の解決は、本発明に基づいて、請求項１の前文の特徴を備えた膨張式安全ベルトによって達成されるが、有利な展開形態は従属請求項から読み取れるであろう。
【０００７】
請求項１によると、ガス発生器への流れ接続部分が張力を受けないように、ベルトウェビング層の端部が、固定取付具に接続されることが提案されている。これによって、ベルトウェビングとガス発生器が、固定取付具において、機能的に離れて位置するので、張力が、安全ベルトから固定取付具へ、ガス発生器、充填パイプ、またはガス発生器と膨張式ベルトとの間にある流れ接続部分の別の部品を介して伝達されない。それによって、ガス発生器への流れ接続部分は、ベルトウェビングからの張力に関しては、張力を受けないので、この接続部分は、事故の間、ベルトウェビングによって加えられる張力による荷重を受けない。それゆえに、流れ接続部分は不浸透性と、流れ案内と、ベルトが膨張するときなどに作用する荷重とに関しては最適な方式に設計できる。さらに、ベルトウェビング層の端部と固定取付具との間の接続部分は、張力の結果かかる荷重だけに基づいて、その種類と大きさに関して寸法を決めることができる。それによって、本発明は、ガス発生器またはその膨張式安全ベルトへの接続部分が故障した場合であっても、膨張式安全ベルトが、依然として従来の非膨張式安全ベルトとして作動するという、乗員の拘束に大きな利点を有する膨張式安全ベルトを提供する。
【０００８】
固定取付具ならびに、ベルトウェビング層およびガス発生器の配置の特に簡単な構成は、ベルトウェビング層の端部を固定取付具の間隔の空いた２つのブラケットに個別に取り付けることによって、およびガス発生器が発生するガス流をベルトウェビング層の端部間でベルトウェビングに導入することによって、実現される。ベルトウェビング層を個別に接続することによって、ベルトウェビング層のうちの１つが固定取付具に接続され損なった場合でも、それぞれ他方のベルトウェビング層によって、拘束機能が依然として提供されるので、安全性の向上が得られる。
【０００９】
さらに、固定取付具が基板を備えていることと、ブラケットが、基板とブラケットとがＵ字形の断面を形成するように、傾斜して基板の両側から突出していることと、ガス発生器がその基板に接続されていることとが提案されている。ベルトウェビング層の接続領域にＵ字形の固定取付具を設けることによって、ベルトウェビング層は少し離れて維持され、ブラケット間にできる空間には、ガスを導入することができ、そのために必要な構成部品（ガスランス、ディフューザなど）を配置できる。
【００１０】
さらに、固定取付具は、互いに回動可能に組み合わされた少なくとも２つの固定具から形成でき、この場合、ベルトウェビング層は、固定具のうちの一方に連結され、他方の固定具は、自動車に締結されている。それによって、ベルトウェビング層が連結される固定具は、ベルトウェビングを斜めに引っ張ると自動車に締結された固定具に対して、固定具自体を位置合わせできるので、所定の位置合わせに基づいて、斜めに引っ張る角度が補正され、張力が固定具に伝達される。
【００１１】
さらに、ベルトウェビング層の端部が、固定取付具に設けられた開口に回動可能に取り付けられること、および、開口における締結によってもたらされる回動動作の回動軸と、固定具間の回動動作の回動軸とが、ある角度、好ましくは、互いに直角で配置されていることが提案されている。このようにして、ベルトウェビング層を固定取付具で２本の回動軸回りに、例えば、１本の軸は駆動方向に垂直に、１本の軸は駆動方向に平行に、位置合わせできる。その結果、それぞれの乗員またはそれぞれの座席位置によって生じる様々なベルト係合角度が考慮され、それによって生じる斜めの引っ張りが回避される。
【００１２】
この場合、固定具の回転位置を互いに固定するために、一方の固定具上で、他方の固定具の凹部と係合する係合手段が設けられ、係合手段によって予め決められた分離力を超えると、係合手段によってもたらされる固定具の接続が解除される。このようにして、通常使用の間は、固定取付具は、常に所定の配列位置を有し、その配列位置は、事故の際に、安全ベルトの張力により生じる分離力を超えるまで変化しない。
【００１３】
さらに、ガスランスが、ベルトウェビング層の間に設けられていることと、そのガスランスが、ディフューザを介してガス発生器との流れの接続を有することと、ディフューザが、長手方向において固定取付具で固定されていることとが提案されている。ディフューザを長手方向において固定取付具で固定することによって、ガス膨張の間に生じる力が、長手方向において、固定取付具へ伝達されるので、ガス発生器および／またはガスランスが長手方向に荷重を受けない。
【００１４】
ベルトウェビング層を固定取付具に接続する簡単でコスト的に有効な方法は、ベルトウェビング層の端部を、固定するために、自己固定式に、数層で、互いの先端上に置くことである。したがって、縫合、溶接、接着など、追加のコストが発生する接続は省略される。
【００１５】
接続は、１つ以上のクランプ要素の回りに巻き付くベルトウェビング層によって、代替的に、または追加的にさらに改良できる。クランプ要素を用いることによって、クランプ要素が固定取付具への閉鎖形状の接続を提供することで、接続の安定性が増大する。
【００１６】
この場合、さらに、クランプ要素がピンによって形成され、ピンは、ベルトウェビング層（複数可）が回りに巻きつけられ、肥厚部を形成し、ベルトウェビング層の途中で、固定取付具に設けられた狭い箇所の前に位置することが提案される。
【００１７】
クランプ要素は、固定取付具の反対輪郭内の上記クランプ要素の外側形状によって、回転可能に固定される方式で、代替的に、または追加的に、固定される。それによって、ベルトウェビング層の固定がさらに改良される。
【００１８】
本発明のさらに好ましい実施形態は、ベルトウェビング層の端部が、ベルトウェビング、ディフューザの中心および／または固定具の回動軸まで互いに異なる距離で、固定取付具に取り付けられることである。それによって、固定取付具に伝達される荷重が、必要な場合には、単一のベルトウェビング層に個別に分配され得る。
【００１９】
以下において、いくつかの好ましい実施形態に基づいて、本発明をより詳細に説明する。図は以下を詳細に示す。
【図面の簡単な説明】
【００２０】
【図１】膨張式安全ベルトを装着した乗員を示す。
【図２】固定取付具を有する膨張ユニットを示す。
【図３ａ】異なる角度からの異なるベルト張力が作用している、互いに回動する方式で形成された２つの固定具を備える、固定取付具を有する膨張ユニットを示す。
【図３ｂ】異なる角度からの異なるベルト張力が作用している、互いに回動する方式で形成された２つの固定具を備える、固定取付具を有する膨張ユニットを示す。
【図３ｃ】異なる角度からの異なるベルト張力が作用している、互いに回動する方式で形成された２つの固定具を備える、固定取付具を有する膨張ユニットを示す。
【図４ａ】ベルトウェビング層の端部を取り付ける開口を備えた、固定取付具を有する膨張ユニットを示す。
【図４ｂ】ベルトウェビング層の端部を取り付ける開口を備えた、固定取付具を有する膨張ユニットを示す。
【図５】固定取付具と、ベルトウェビング層の端部が巻き付けられるピン形状のクランプ要素とを有する膨張ユニットを示す。
【図６ａ】固定取付具と、ベルトウェビング層の端部が巻き付けられるクランプ要素とを有する膨張ユニットであり、クランプ要素は、固定取付具の反対輪郭内に、回転可能に固定された方式で固定される外側輪郭を備えていることを示す。
【図６ｂ】固定取付具と、ベルトウェビング層の端部が巻き付けられるクランプ要素とを有する膨張ユニットであり、クランプ要素は、固定取付具の反対輪郭内に、回転可能に固定された方式で固定される外側輪郭を備えていることを示す。
【図７】図６ａ〜６ｂからのクランプ要素を示す。
【図８ａ】ベルトウェビングに対して異なる距離に２つのブラケットを備えた固定取付具を有する膨張ユニットを示す。
【図８ｂ】ベルトウェビングに対して異なる距離に２つのブラケットを備えた固定取付具を有する膨張ユニットを示す。
【発明を実施するための形態】
【００２１】
図１は、自動車（図示せず）の車両シート２上の乗員１の例示的な代表図である。乗員１は、ベルトウェビング３を有する膨張式安全ベルトで固定されている。ベルトウェビング３は、自動車から肩を越えて、乗員１の胸部を斜めに横切って、ベルトバックル（図示せず）まで走る斜めのベルト４ａと、ベルトバックルから乗員１の膝を越えて固定取付具６まで走るラップベルト４ｂとに分けられる。固定取付具６を介して自動車に接続されるラップベルト４ｂの端部には、膨張ユニット５が設けられ、膨張ユニット５により、膨張式安全ベルトは少なくとも断面が膨張する。
【００２２】
図２は、切欠部内に固定取付具６を備える、膨張ユニット５を示している。ベルトウェビング３は、少なくとも、２つのベルトウェビング層３ａ、３ｂから形成される、ラップベルト４ｂの領域内と斜めのベルト４ａの一部分内にある。ベルトウェビング層３ａ、３ｂは、互いの先端上に置かれ、好ましくは、ベルトウェビング層３ａ、３ｂの間に位置する空間を形成する境界部分で互いに接続されている。ガスランス７が、ベルトウェビング層３ａ、３ｂの間の空間に位置し、そのガスランスによって、ガス流が膨張式安全ベルト内で分配される。ベルトウェビング層３ａ、３ｂ自体は、実質的に、表面がより大きく、従来の平坦なウェブ形のベルトウェビング３に折り畳まれている。ベルトウェビング３が膨張すると、ベルトウェビング層３ａ、３ｂは、互いに分離し、最初の形に戻る。その際に、空間と外表面とが大幅に増え、ベルトウェビング３が垂直に膨張して、厚い「筒状」になる。膨張した安全ベルトによって、乗員に接する安全ベルトの表面がかなり大きくなり、それによって面荷重が等しい力で低減するので、乗員への荷重は減少する。
【００２３】
固定取付具６が、２つの固定具２０、２３から形成されている。固定具２０は自動車に接続され、固定具２３はベルトウェビング３に接続されている。固定具２０には、斜めに突出する取付板２１が設けられ、その取付板には、ネジ形状の締結手段１３が、自動車への締結のために設けられている。固定具２３は、基板１０と、ベルトウェビング３から離れる方向に基板１０から突出するブラケット１７と、ブラケット１７に対して垂直に走り、ベルトウェビング３の方向に突出する２つのブラケット１５、１６とを有している。ブラケット１７には、ボルト１８が位置し、ボルト１８を介して、固定具２０、２３が互いに回動可能に接続されている。ベルトウェビング３と対向し、基板１０から突出するブラケット１５、１６には、それぞれ、開口８、９が設けられている。開口８、９には、ベルトウェビング層３ａ、３ｂが回動可能に取り付けられている。固定取付具６の横方向隣には、ディフューザ１１を介するガスランス７との流れ接続部を有するガス発生器１２が設けられている。ディフューザ１１には、隆起部１４が設けられ、隆起部１４は、ディフューザ１１とガスランス７に作用する長手方向の力を吸収し、それを基板１０に伝えるので、ディフューザ１１とガスランス７とが膨張過程の間に移動しない。
【００２４】
図３ａ〜３ｃは、図１のＡ−Ａから見た図２の同一の膨張ユニットを示しており、異なるベルト係合角度から異なるベルト力が作用している。まず、図３ａは固定具２０、２３の位置を示しており、この場合、ベルトウェビング３のベルト力「Ｆ」が実質的に、ブラケット１５、１６に平行に作用するので、固定具２０、２３の互いの相対的な回転位置は、所定の回転位置と同じである。所定の回転位置は、図４ａ、４ｂでも見られるように、固定具２０に設けられ、固定具２３上の凹部４０と係合する係合手段１９によって固定されている。
【００２５】
図３ｂは、ベルト力「Ｆ１」が角度「Ａ」で作用している、同じ固定取付具６を示している。ベルト力「Ｆ１」は、例えば、安全ベルトの通常使用の際に生じる。固定具２０、２３は、依然として、係合手段１９によって決められた位置を取っている。
【００２６】
図３ｃは同じ固定取付具６を示しており、ここでは、ベルト力「Ｆ２」が、係合手段１９によって決められる分離力を超える程度まで大きくなっている。分離力を超えていることによって、係合手段１９は不可逆的に破壊され（係合から離れ）、固定具２３は、角度「Ａ」の分、固定具２０に対して回動する。この固定具２０、２３の互いの相対的な回動能力は、ボルト１８によって画定される回動軸「Ｍ」によって決定される。固定具２３が固定具２０に対して回動するため、ブラケット１５、１６は、ここで再び、ベルト力「Ｆ２」の作用する方向に平行に位置合わせされる。
【００２７】
図４ａ、４ｂは、開口８、９によって画定された回動軸「Ｘ」と垂直な１平面において、異なるベルト係合方向からのベルト力「Ｆ３」と「Ｆ４」の加わる状態において、ベルトウェビング３がそれ自体どのように開口８、９に取り付けられたベルトウェビング層３ａ、３ｂの端部と整列するかを示している。固定具２０、２３の互いの位置は、そこでは、変化はない。これによって、特に、異なる座席位置または異なる乗員によって生じる、異なるベルト力の作用方向が考慮される。開口８、９によって画定される回動軸「Ｘ」と、ボルト１８によって画定される回動軸「Ｍ」とは、互いにある角度、好ましくは直角を成すので、特に荷重を受けると、大きな回動領域が生じ、可能な限りの多くのベルト係合角度が補正され、それ以外の場合には、生じる斜めの引っ張りが回避される。
【００２８】
図５は、固定取付具６が、互いの先端上に置かれた２つの固定具３８、３９によって形成された代替的実施形態を示している。固定具３８、３９はそれぞれベルトウェビング３の方向に曲げられて、その端部にブラケット２７、２８を形成している。ブラケットの間には、ガス発生器１２および／またはディフューザ１１および／または流れ接続部の他の部品が位置している。さらに、端部２８ａを備えたブラケット２８は、ブラケット２７の方向に再度曲げられ、重なり領域でブラケット２７に接続されている。
【００２９】
後方に曲げられた端部２８ａには、詳細には、開口領域（図示せず）が設けられ、ディフューザ１１がその開口領域を貫通している。ディフューザ１１は、後方に曲げられた端部２８ａに接して支持され、およびそれによってディフューザ１１をガス流が流れ出す長手方向に固定する、フランジ２６を備えている。ベルトウェビング層３ａ、３ｂは、ガス発生器１２とディフューザ１１を包み込んでいるので、ベルトウェビング層３ａ、３ｂは、フリクションロック方式で固定される。それに加えて、必要な場合には、ベルトウェビング層３ａ、３ｂの端部は、ピン形状のクランプ要素２４、２５を包み込み、互いに縫合される。クランプ要素２４、２５は、ブラケット２７、２８とディフューザ１１とによって形成される狭い箇所の背後で、ベルトウェビング層３ａ、３ｂのベルト力の引っ張り方向に位置し、それによって、ベルトウェビング３によって加えられる張力が固定取付具６に伝達されるようになる。それによって、ベルトウェビング３は、多少の自己固定性を備えて、固定取付具６上に置かれる。
【００３０】
図６ａ、６ｂは、やはり、ベルトウェビング層３ａ、３ｂがガス発生器１２とディフューザ１１とを包み込み、接合クランプ要素３０の上に置かれた、本発明のさらなる代替的実施形態を示している。図７に示されたクランプ要素３０は、バー２９、３１を介して互いに接続された２つのウェッジ要素３２、３３から形成され、各ウェッジ要素は、ベース本体３４、３５とそこから突出する支持部分３６、３７とから形成されている。図６ａで見られるように、ベルトウェビング層３ａ、３ｂはバー２９、３１を包み込み、それによって、フリクションロック方式でバーの上に置かれる。ベース本体３４、３５とその上に位置する支持部分３６、３７とによって、クランプ要素３０は、図６ａで示された取り付け位置では、クランプ要素３０が、固定取付具６によって提供される反対輪郭上で、回転可能に固定される方式で、クランプ要素３０自体を支持するような外側輪郭を有する。さらに、ウェッジ要素３２、３３によって、ベルトウェビング３が張力を加える場合に、クランプ要素３０が固定取付具６内で自己固定される。
【００３１】
図８ａ、８ｂは、ベルトウェビング３の引っ張り方向に対するブラケット１５、１６の距離が異なる、本発明のさらに好ましい実施形態を示している。図８ａでは、ブラケット１５、１６の距離「ａ」は同じであり、それによって、ベルトウェビング３から作用するベルト力は、両方のブラケット１５、１６に等しく分配される。図８ｂで示された実施形態では、ベルトウェビング３および／または回動軸「Ｍ」の中心および／またはディフューザ１１の中心に対するブラケット１５の距離「ａ」は、対応するブラケット１６の距離「ｂ」よりも小さい。それによって、ベルトウェビング層３ａ、３ｂを介してベルトウェビング３が伝達するベルト力は、ブラケット１５、１６に不均等に分配される。図示された実施形態では、距離「ａ」が距離「ｂ」よりも小さいので、ブラケット１５に伝達される力はより大きくなる。
【図１】
0005439496.tif 000002
【図２】
0005439496.tif 000003
【図３ａ】
0005439496.tif 000004
【図３ｂ】
0005439496.tif 000005
【図３ｃ】
0005439496.tif 000006
【図４ａ】
0005439496.tif 000007
【図４ｂ】
0005439496.tif 000008
【図５】
0005439496.tif 000009
【図６ａ】
0005439496.tif 000010
【図６ｂ】
0005439496.tif 000011
【図７】
0005439496.tif 000012
【図８ａ】
0005439496.tif 000013
【図８ｂ】
0005439496.tif 000014